(57)【要約】【課題】発光素子または受光素子と光ファイバーとの光結合効率の良い光通信モジュール部品を実現することを目的とする。【解決手段】光送受信モジュール部１７は同一回路基板１１の同一回路基板１１面上に光送信を行うための発光素子モジュール部１２と光受信を行うための受光素子モジュール部１３とが実装されているとともに、その同一回路基板１１の裏面上に電気信号を光信号に変換するとともに光信号を電気信号に変換するための回路部品１４が実装されており、光ファイバー挿入スリーブ１５は、光送受信モジュール部１７に装着されることにより送信用光ファイバー１６が発光素子モジュール部１２の光軸と一致するように装着可能になるように構成されている。発光素子モジュール部１２からの光出力を送信用光ファイバー１６を介して検出しながら、光ファイバー挿入スリーブ１５と光送受信モジュール部１７との光軸を一致させるとともに位置決め固定している。【選択図】図１
2005215131.tif 000002
【特許請求の範囲】
【請求項１】
光軸が一致するように光ファイバー挿入スリーブが光送受信モジュール部に装着された光通信モジュールであって、前記光送受信モジュール部は、同一回路基板の同一回路基板面上に光送信を行うための発光素子モジュール部と光受信を行うための受光素子モジュール部とが実装されているとともに、その同一回路基板の裏面上に電気信号を光信号に変換するとともに光信号を電気信号に変換するための回路部品が実装されており、前記光ファイバー挿入スリーブは、前記光送受信モジュール部に装着されることにより送信用光ファイバーが前記発光素子モジュール部の光軸と一致するように装着可能になるように構成されており、前記発光素子モジュール部からの光出力を前記送信用光ファイバーを介して検出しながら、前記光ファイバー挿入スリーブと前記光送受信モジュール部との光軸を一致させるとともに位置決め固定させることを特徴とする光通信モジュール。
【請求項２】
光軸が一致するように光ファイバー挿入スリーブが光送受信モジュール部に装着された光通信モジュールであって、前記光送受信モジュール部は、同一回路基板の同一回路基板面上に光送信を行うための発光素子モジュール部と光受信を行うための受光素子モジュール部とが実装されているとともに、その同一回路基板の裏面上に電気信号を光信号に変換するとともに光信号を電気信号に変換するための回路部品が実装されており、前記光ファイバー挿入スリーブは、前記光送受信モジュール部に装着されることにより受信用光ファイバーが前記受光素子モジュール部の光軸と一致するように装着可能になるように構成されており、前記受信用光ファイバーからの光入力を前記受光素子モジュール部を介して検出しながら、前記光ファイバー挿入スリーブと前記光送受信モジュール部との光軸を一致させるとともに位置決め固定させることを特徴とする光通信モジュール。
【請求項３】
予め光ファイバー挿入スリーブの所定位置に光硬化性または熱硬化性の接着剤を塗布しておき、前記光ファイバー挿入スリーブと前記光送受信モジュール部との光軸が一致した際に、前記光ファイバー挿入スリーブと前記光送受信モジュール部を接触させるとともに、光または熱を加えることにより前記接着剤を硬化させて前記光ファイバー挿入スリーブと前記光送受信モジュール部とを位置決め固定することを特徴とする請求項１または請求項２記載の光通信モジュール。
【請求項４】
光ファイバー挿入スリーブの材質をガラスの含有率２０％〜４０％のＰＢＴまたはＰＰＳとする請求項１または請求項２記載の光通信モジュール。
【請求項５】
光ファイバー挿入スリーブの材質をカーボンの含有率２０％〜３０％の導電性樹脂とする請求項１または請求項２記載の光通信モジュール。
【請求項６】
光ファイバー挿入スリーブの材質を熱可塑性樹脂または熱硬化性樹脂とする請求項１または請求項２記載の光通信モジュール。
【請求項７】
発光モジュール部および受光モジュール部と光ファイバー挿入スリーブの装着部には光軸調整用の隙間しろを持つことを特徴とする請求項１または請求項２記載の光通信モジュール。
【請求項８】
光ファイバー挿入スリーブの送信側は装着ファイバーの種類に応じた光量調整用アパーチャーを設けた請求項１記載の光通信モジュール。
【請求項９】
アパーチャー径を光ファイバーＰＣＦコア径φ０．２ｍｍ〜光ファイバーＰＯＦコア径φ１．０ｍｍの範囲で設定する請求項８記載の光通信モジュール。
【請求項１０】
光ファイバー挿入スリーブの受信側にアパーチャーを設け、前記アパーチャー径は受光素子の受光部径より小さくした請求項１または請求項２記載の光通信モジュール。
【請求項１１】
送信側挿入スリーブと受信側挿入スリーブのピッチは２芯光ファイバーコネクターのピッチに合わせた請求項１または請求項２記載の光通信モジュール。
【請求項１２】
光ファイバー挿入スリーブの光ファイバー挿入側にテーパーを設けた請求項１または請求項２記載の光通信モジュール。
【請求項１３】
ケース本体、挿入スリーブ、カバーおよび回路基板の４点のパーツからなる請求項１または請求項２記載の光通信モジュール。
【請求項１４】
ケース本体と挿入スリーブおよびケース本体とカバーの固定に樹脂接着剤を用いた請求項１３記載の光通信モジュール。
【請求項１５】
ケース本体とカバーの固定は爪と穴の係りによって固定される請求項１３記載の光通信モジュール。
【請求項１６】
回路基板とカバー間に光軸調整用の隙間しろを持つことを特徴とする請求項１３記載の光通信モジュール。
【請求項１７】
光軸が一致するように光ファイバー挿入スリーブが光送受信モジュール部に装着された光通信モジュールの製造方法であって、同一基板の同一基板面上に光送信を行うための発光素子モジュール部および光受信を行うための受光素子モジュール部を形成するとともに、その同一基板の裏面上に電気信号を光信号に変換するとともに光信号を電気信号に変換するための回路部品を実装して光送受信モジュール部を形成する工程と、送信用光ファイバーが前記発光素子モジュール部の光軸と一致するように、かつ受信用光ファイバーが前記受光素子モジュール部の光軸と一致するように、前記光ファイバー挿入スリーブを前記光送受信モジュール部に装着する工程とを有し、前記光ファイバー挿入スリーブの前記光送受信モジュール部への装着の際に、前記発光素子モジュール部からの光出力を前記送信用光ファイバーを介して検出しながら、または前記受信用光ファイバーからの光入力を前記受光素子モジュール部を介して検出しながら、前記光ファイバー挿入スリーブと前記光送受信モジュール部との光軸を一致させるとともに、その状態で位置決め固定させたことを特徴とする光通信モジュールの製造方法。
【請求項１８】
予め光ファイバー挿入スリーブの所定位置に光硬化性または熱硬化性の接着剤を塗布しておき、前記光ファイバー挿入スリーブと前記光送受信モジュール部との光軸が一致した際に、前記光ファイバー挿入スリーブと前記光送受信モジュール部を接触させるとともに、光または熱を加えることにより前記接着剤を硬化させて前記光ファイバー挿入スリーブと前記光送受信モジュール部とを位置決め固定することを特徴とする請求項１７記載の光通信モジュールの製造方法。
【請求項１９】
光ファイバー挿入スリーブを光ファイバー挿入スリーブ保持具で真空吸着またはチャッキングにより保持し、前記保持具を光軸の垂直面上で移動させ、光ファイバー挿入スリーブと前記光送受信モジュール部との光軸を一致させる請求項１７記載の光通信モジュールの製造方法。
【発明の詳細な説明】
【技術分野】
【０００１】
本発明は光送受信部を有する光通信モジュールおよびその製造方法に関するものである。
【背景技術】
【０００２】
従来、一般にこの種の光通信モジュール部品は以下のような構成を有していた。すなわち、図３は従来の光通信モジュール部品の構成を示す図である。
【０００３】
図３において、１および２はそれぞれ発光素子モジュールおよび受光素子モジュールであり、回路基板３上に発光素子モジュール１および受光素子モジュール２が半田付けにて実装されている。また、発光素子モジュール１または受光素子モジュール２はケース本体４の挿入スリーブ４ａまたは４ｂに設けられた段差部４ｃにはめ込まれて、発光素子モジュール１または受光素子モジュール２が挿入スリーブ４ａまたは挿入スリーブ４ｂと外形規正により位置決め固定されている。
【０００４】
そして、ケース本体４に設けられた挿入スリーブ４ａおよび４ｂに双方向光コネクタ（図示せず）を挿入し、双方向光コネクタに備えられた２本の光ファイバと発光素子モジュール１及び受光素子モジュール２とが接続できるように構成されている。
【０００５】
なお、この出願の発明に関する先行技術文献としては、例えば特許文献１がある。
【特許文献１】特開２００１−７４０２号公報
【発明の開示】
【発明が解決しようとする課題】
【０００６】
しかしながら、上記従来の構成では、発光素子モジュール１または受光素子モジュール２の外形規正により、光ファイバー挿入スリーブ４ａ，４ｂとの位置決めをしていたために、発光素子モジュール１内の発光素子または受光素子モジュール２内の受光素子の実装位置のばらつきにより、光ファイバーと発光素子または受光素子の光軸ずれが大きく、光ファイバーとの光結合効率が劣化する課題があった。
【０００７】
本発明は上記従来の課題を解決するためのものであり、発光素子または受光素子と光ファイバーとの光結合効率の良い光通信モジュール部品を実現することを目的とする。
【課題を解決するための手段】
【０００８】
上記課題を解決するために、本発明の光通信モジュール部品は、光軸が一致するように光ファイバー挿入スリーブが光送受信モジュール部に装着された光通信モジュールであって、前記発光素子モジュール部からの光出力を前記送信用光ファイバーを介して検出しながら、前記光ファイバー挿入スリーブと前記光送受信モジュール部との光軸を一致させるとともに位置決め固定させる光軸が一致するように光ファイバー挿入スリーブが光送受信モジュール部に装着された光通信モジュールであって、前記光送受信モジュール部は、同一回路基板の同一回路基板面上に光送信を行うための発光素子モジュール部と光受信を行うための受光素子モジュール部とが実装されているとともに、その同一回路基板の裏面上に電気信号を光信号に変換するとともに光信号を電気信号に変換するための回路部品が実装されており、前記光ファイバー挿入スリーブは、前記光送受信モジュール部に装着されることにより送信用光ファイバーが前記発光素子モジュール部の光軸と一致するように装着可能になるように構成されており、前記発光素子モジュール部からの光出力を前記送信用光ファイバーを介して検出しながら、前記光ファイバー挿入スリーブと前記光送受信モジュール部との光軸を一致させるとともに位置決め固定させることを特徴としたものである。
【０００９】
この構成により、発光素子からの光出力を光ファイバー挿入スリーブに挿入された光ファイバーに効率良く入射することができるものである。
【００１０】
また、本発明は、特に、光軸が一致するように光ファイバー挿入スリーブが光送受信モジュール部に装着された光通信モジュールであって、前記光送受信モジュール部は、同一回路基板の同一回路基板面上に光送信を行うための発光素子モジュール部と光受信を行うための受光素子モジュール部とが実装されているとともに、その同一回路基板の裏面上に電気信号を光信号に変換するとともに光信号を電気信号に変換するための回路部品が実装されており、前記光ファイバー挿入スリーブは、前記光送受信モジュール部に装着されることにより受信用光ファイバーが前記受光素子モジュール部の光軸と一致するように装着可能になるように構成されており、前記受信用光ファイバーからの光入力を前記受光素子モジュール部を介して検出しながら、前記光ファイバー挿入スリーブと前記光送受信モジュール部との光軸を一致させるとともに位置決め固定させることを特徴とするものであり、この構成により、光ファイバー挿入スリーブに挿入された光ファイバーからの光出力を受光素子へ効率良く入射することができるものである。
【００１１】
また、本発明は、特に、予め光ファイバー挿入スリーブの所定位置に光硬化性または熱硬化性の接着剤を塗布しておき、前記光ファイバー挿入スリーブと前記光送受信モジュール部との光軸が一致した際に、前記光ファイバー挿入スリーブと前記光送受信モジュール部を接触させるとともに、光または熱を加えることにより前記接着剤を硬化させて前記光ファイバー挿入スリーブと前記光送受信モジュール部とを位置決め固定することを特徴とするものであり、この構成により、光ファイバー挿入スリーブと光送受信モジュール部との光軸を一致させ、固定することができるものである。
【００１２】
また、本発明は、特に、光ファイバー挿入スリーブの材質をガラスの含有率２０％〜４０％のＰＢＴまたはＰＰＳとすることを特徴とするものであり、この構成により、挿入スリーブの強度を上げ、光ファイバーとの耐磨耗性を向上することができるものである。
【００１３】
また、本発明は、特に、光ファイバー挿入スリーブの材質をカーボンの含有率２０％〜３０％の導電性樹脂とすることを特徴とするものであり、この構成により、挿入スリーブを回路基板上のＧＮＤに接続することにより、シールド効果を持ち、発光素子および受光素子の外部からのノイズの影響を低減することができるものである。
【００１４】
また、本発明は、特に、光ファイバー挿入スリーブの材質を熱可塑性樹脂または熱硬化性樹脂とすることを特徴とするものであり、この構成により、挿入スリーブを樹脂金型成形品とし、安価な挿入スリーブを提供できるものである。
【００１５】
また、本発明は、特に、発光モジュール部および受光モジュール部と光ファイバー挿入スリーブの装着部には光軸調整用の隙間しろを持つことを特徴とするものであり、この構成により、発光素子および受光素子の実装位置のばらつきがあっても前記隙間しろを実装位置ばらつき以上の寸法とし、発光素子および受光素子と光ファイバー挿入スリーブの光軸を一致することができるものである。
【００１６】
また、本発明は、特に、光ファイバー挿入スリーブの送信側は装着ファイバーの種類に応じた光量調整用アパーチャーを設けたことを特徴とするものであり、この構成により、アパーチャー径を光ファイバーのコア径以下にすれば、光ファイバーに入力する光量を調整することができるものである。
【００１７】
また、本発明は、特に、アパーチャー径を光ファイバーＰＣＦコア径φ０．２ｍｍ〜光ファイバーＰＯＦコア径φ０．９８ｍｍの範囲で設定することを特徴とするものであり、この構成により、本光通信モジュールに接続される光ファイバーがＰＣＦ光ファイバーおよびＰＯＦ光ファイバーの場合、ＰＣＦ光ファイバーおよびＰＯＦ光ファイバーのコア径はそれぞれ２００μｍ、９８０μｍとコア径の差があるため、光ファイバーに入力される光径が２００μｍ以上であれば、ＰＯＦに入力される光量はＰＣＦに入力される光量より大きくなるが、前記アパーチャーの径を２００μｍ〜９８０μｍの間で設定すれば、ＰＣＦとＰＯＦに入力される光量の比を設定することができるものである。
【００１８】
また、本発明は、特に、光ファイバー挿入スリーブの受信側にアパーチャーを設け、前記アパーチャー径は受光素子の受光部径より小さくしたことを特徴とするものであり、この構成により、受光素子に入力する光量を調整することができるものである。
【００１９】
また、本発明は、特に、送信側挿入スリーブと受信側挿入スリーブのピッチは２芯光ファイバーコネクターのピッチに合わせたことを特徴とするものであり、この構成により、２芯光ファイバーコネクターを送信側挿入スリーブと受信側挿入スリーブに精度良く装着することができるものである。
【００２０】
また、本発明は、特に、光ファイバー挿入スリーブの光ファイバー挿入側にテーパーを設けたことを特徴とするものであり、この構成により、光ファイバーを挿入スリーブに挿入する際にスムーズに挿入することができるものである。
【００２１】
また、本発明は、特に、ケース本体、挿入スリーブ、カバーおよび回路基板の４点のパーツからなることを特徴とするものであり、この構成により、回路基板上の発光素子または受光素子の光軸に挿入スリーブを一致固定し光送受信モジュール部を形成し、前記モジュール部の挿入スリーブをケース本体に挿入し、その後、カバーを装着固定して光通信モジュールを形成することにより、組立を容易にし、工数を低減することができるものである。
【００２２】
また、本発明は、特に、ケース本体と挿入スリーブおよびケース本体とカバーの固定に樹脂接着剤を用いたことを特徴とするものであり、この構成により、ケース本体と挿入スリーブおよびケース本体とカバーの固定の組立作業を容易にすることができるものである。
【００２３】
また、本発明は、特に、ケース本体とカバーの固定は爪と穴の係りによって固定されることを特徴とするものであり、この構成により、ワンタッチでケース本体とカバー固定できるため、組立工数を低減することができるものである。
【００２４】
また、本発明は、特に、回路基板とカバー間に光軸調整用の隙間しろを持つことを特徴とするものであり、この構成により、回路基板上の発光素子または受光素子と挿入スリーブの光軸調整した際に発生する回路基板と挿入スリーブとの位置ずれがあっても、回路基板とカバー間の隙間により、カバーを装着する際のカバーと回路基板との干渉を防止することができるものである。
【００２５】
また、本発明は、特に、光軸が一致するように光ファイバー挿入スリーブが光送受信モジュール部に装着された光通信モジュールの製造方法であって、同一基板の同一基板面上に光送信を行うための発光素子モジュール部および光受信を行うための受光素子モジュール部を形成するとともに、その同一基板の裏面上に電気信号を光信号に変換するとともに光信号を電気信号に変換するための回路部品を実装して光送受信モジュール部を形成する工程と、送信用光ファイバーが前記発光素子モジュール部の光軸と一致するように、かつ受信用光ファイバーが前記受光素子モジュール部の光軸と一致するように、前記光ファイバー挿入スリーブを前記光送受信モジュール部に装着する工程とを有し、前記光ファイバー挿入スリーブの前記光送受信モジュール部への装着の際に、前記発光素子モジュール部からの光出力を前記送信用光ファイバーを介して検出しながら、または前記受信用光ファイバーからの光入力を前記受光素子モジュール部を介して検出しながら、前記光ファイバー挿入スリーブと前記光送受信モジュール部との光軸を一致させるとともに、その状態で位置決め固定させたことを特徴とするものであり、この構成により、光ファイバー挿入スリーブと光送受信モジュール部との光軸を一致させ、固定することができるものである。
【００２６】
また、本発明は、特に、予め光ファイバー挿入スリーブの所定位置に光硬化性または熱硬化性の接着剤を塗布しておき、前記光ファイバー挿入スリーブと前記光送受信モジュール部との光軸が一致した際に、前記光ファイバー挿入スリーブと前記光送受信モジュール部を接触させるとともに、光または熱を加えることにより前記接着剤を硬化させて前記光ファイバー挿入スリーブと前記光送受信モジュール部とを位置決め固定することを特徴とするものであり、この構成により、光ファイバー挿入スリーブと光送受信モジュール部との光軸を一致させ、接着剤により固定することができるものである。
【００２７】
また、本発明は、特に、光ファイバー挿入スリーブを光ファイバー挿入スリーブ保持具で真空吸着またはチャッキングにより保持し、前記保持具を光軸の垂直面上で移動させ、光ファイバー挿入スリーブと前記光送受信モジュール部との光軸を一致させることを特徴とするものであり、この構成により、光ファイバー挿入スリーブと光送受信モジュール部との光軸を一致させ、固定することができるものである。
【発明の効果】
【００２８】
以上のように、本発明によれば、発光素子または受光素子と光ファイバーとの光結合効率の良い光通信モジュール部品を実現することができるものである。
【発明を実施するための最良の形態】
【００２９】
以下、本発明の光通信モジュール部品の一実施の形態について図面を用いて説明する。図１は本発明の光通信モジュールの構成を示し、（ａ）は正面図、（ｂ）は側面断面図、（ｃ）は上面断面図、（ｄ）は分解斜視図である。
【００３０】
図１において、１１は回路基板であり、回路基板１１の同一基板面上にはＬＥＤ，ＬＤ，ＶＣＳＥＬ等の発光素子からなる発光素子モジュール部１２とＰＩＮ−ＰＤ，ＡＰＤ等の受光素子からなる受光素子モジュール部１３が実装されており、この発光素子モジュール部１２と受光素子モジュール部１３とで光送受信モジュール部１７を構成している。また回路基板１１の裏面には、電気信号を光信号に変換するとともに光信号を電気信号に変換するための回路部品１４がメインに実装されている。
【００３１】
１５は光ファイバー挿入スリーブであり、ガラスの含有量が２０％〜４０％のＰＢＴまたはＰＰＳから、あるいは、カーボンの含有量が２０％〜３０％の導電性樹脂から構成されており、これらの樹脂は熱可塑性または熱硬化性の特徴を有している。また光ファイバー挿入スリーブ１５は、外部から光ファイバー１６を挿入した際に、発光素子モジュール部１２および受光素子モジュール部１３のそれぞれの光軸と一致するように光送受信モジュール部１７の回路基板１１に装着固定されている。
【００３２】
また、発光素子モジュール部１２および受光素子モジュール部１３と光ファイバー挿入スリーブ１５の装着部には光軸調整用隙間しろ２４が設けられている。さらに、回路基板１１に装着固定された光ファイバー挿入スリーブ１５を挿入する穴を設けたケース本体２２に光ファイバー挿入スリーブ１５を挿入し、回路基板１１上の光ファイバー挿入スリーブ１５装着面と反対面よりカバー２３がケース本体２２に装着固定されている。挿入スリーブ１５とケース本体２２との固定には接着剤を使用している。また、ケース本体２２とカバー２３との固定には接着剤を使用している。
【００３３】
尚、ケース本体２２とカバー２３との固定にはカバーに設けられた爪２７とケース本体に設けられた穴２８の係りによってケース本体２２とカバー２３を固定することもできる。また、回路基板１１とカバー２３間には光軸調整用隙間しろ２５が設けられている。また、光ファイバー挿入スリーブ１５の送信側には光量を調整するためのアパーチャー２６ａが、光ファイバー挿入スリーブ１５の受信側には光量を調整するためのアパーチャー２６ｂが設けられている。
【００３４】
尚、光ファイバーにＰＣＦとＰＯＦを使用する際、送信側アパーチャー２６ａの径はφ０．２ｍｍ〜φ１．０ｍｍにすることにより、ＰＣＦとＰＯＦに入力する光量設定をすることができる。さらに、受信側アパーチャー２６ｂの径は受光素子モジュール１３内の受光素子の受光径より小さくすることにより、受光素子に入力される光量を設定することができる。また、光ファイバー挿入スリーブ１５の送信側スリーブ１５ａと受信側スリーブ１５ｂのピッチは２芯光ファイバーコネクター１６ａの光ファイバー１６のピッチに合わせたものとなっている。
【００３５】
次に、光送受信モジュール部１７と光ファイバー挿入スリーブとの光軸調整方法について図２を用いて説明する。図２は本発明の光通信モジュールの光軸調整方法を説明するための図であり、（ａ）は正面図、（ｂ）は上面断面図、（ｃ）は側面断面図である。
【００３６】
まず、回路基板１１に発光素子モジュール部１２、受光素子モジュール部１３および各種回路部品１４を実装して光送受信モジュール部１７を形成する。次にこの光送受信モジュール部１７を回路基板保持具１８にセットし、光ファイバー挿入スリーブ１５を光軸調整用保持具１９で真空吸着またはチャッキングにより保持して光送受信モジュール部１７上に移動させる。
【００３７】
次に、光ファイバー１６の一方を光ファイバー挿入スリーブ１５に挿入するとともに、他方を光出力測定器２０に接続し、さらに光送受信モジュール部１７にその端子１７ａを介して外部電気信号を入力することにより発光素子モジュール部１２を発光させる。
【００３８】
ここで、発光素子モジュール部１２で発光した光を光ファイバー１６を介して光出力測定器２０に入力し、その光入力が最大になるように光軸調整用保持具１９を光軸に対してＸＹ軸上に移動させる。そして光入力が最大になったところで光ファイバー挿入スリーブを固定する。
【００３９】
なお、予め光ファイバー挿入スリーブ１５の周囲には紫外線硬化性または熱硬化性の接着剤２１が塗布されているため、光入力が最大になったところで紫外線を照射することにより、または熱を加えることにより光ファイバー挿入スリーブ１５が非常に簡単にかつ確実に位置決め固定される。これにより、光ファイバー挿入スリーブ１５の光軸と発光素子モジュール部１２の光軸を確実に一致させることができるため、外部から光ファイバー１６を挿入した際に、この光ファイバーと発光素子モジュール部１２の光軸を確実に一致させることができる。その際、光ファイバー挿入スリーブ１５は保持する光軸調整用保持具１９によって真空吸着またはチャッキングすることにより、また、本実施の形態では光ファイバー１６を発光素子モジュール部１２側の光ファイバー挿入スリーブ１５に挿入して光軸調整を行っているが、これを逆に受光素子モジュール部１３側の光ファイバー挿入スリーブ１５に挿入するとともに、光ファイバ１６側から光を発光させて受光素子モジュール部１３でそれを受光してその電気変換された受光電力を受光電力測定器に入力し、その受光電力が最大になるように光軸調整用保持具１９を光軸に対してＸＹ軸上に移動させることにより、光ファイバー１６と受光素子モジュール部１２の光軸を確実に一致させることもできる。
【産業上の利用可能性】
【００４０】
本発明の光通信モジュール部品は、発光素子または受光素子と光ファイバーとの光結合効率の良い光通信モジュール部品として有用である。
【図面の簡単な説明】
【００４１】
【図１】本発明の光通信モジュールの構成を示し、（ａ）は正面図、（ｂ）は側面断面図、（ｃ）は上面断面図、（ｄ）は分解斜視図
【図２】本発明の光通信モジュールの光軸調整方法を説明するための図であり、（ａ）は正面図、（ｂ）は上面断面図、（ｃ）は側面断面図同上面図
【図３】従来の光通信モジュール部品の構成を示し、（ａ）は正面図、（ｂ）は側面断面図、（ｃ）は上面断面図
【符号の説明】
【００４２】
１  発光素子モジュール
２  受光素子モジュール
３  回路基板
４  ケース本体
４ａ  挿入スリーブ
４ｂ  挿入スリーブ
１１  回路基板
１２  発光素子モジュール部
１３  受光素子モジュール部
１４  回路部品
１５  光ファイバー挿入スリーブ
１５ａ  送信側スリーブ
１５ｂ  受信側スリーブ
１６  光ファイバー
１６ａ  光ファイバーコネクター
１７  光送受信モジュール部
１７ａ  端子
１８  回路基板保持具
１９  光軸調整用保持具
２０  光出力測定器
２１  接着剤
２２  ケース本体
２３  カバー
２４  光軸調整用隙間しろ
２５  光軸調整用隙間しろ
２６ａ  アパーチャー
２６ｂ  アパーチャー
２７  爪
２８  穴
【図１】
2005215131.tif 000003
【図２】
2005215131.tif 000004
【図３】
2005215131.tif 000005